(57)【特許請求の範囲】
【請求項１】
冷却ファンを備えたプラスマディスプレイ装置において、
プラズマディスプレイ装置が横置きで使用されている状態で温度が高くなり、プラズマディスプレイ装置が縦置きで使用されている状態で温度が低くなる位置に配置されている第１温度センサ、
プラズマディスプレイ装置が縦置きで使用されている状態で温度が高くなり、プラズマディスプレイ装置が横置きで使用されている状態で温度が低くなる位置に配置されている第２温度センサ、
プラズマディスプレイ装置が横置きにされた状態において実験により求められた、筐体内部温度を保証温度以下に保持しうる第１温度センサの検出温度と冷却ファンの回転数との関係と、第１温度センサの検出温度とに基づいて、ファン回転数を算出する第１ファン回転数算出手段、
プラズマディスプレイ装置が縦置きにされた状態において実験により求められた、筐体内部温度を保証温度以下に保持しうる第２温度センサの検出温度と冷却ファンの回転数との関係と、第２温度センサの検出温度とに基づいて、ファン回転数を算出する第２ファン回転数算出手段、ならびに
第１ファン回転数算出手段によって算出されたファン回転数と、第２ファン回転数算出手段によって算出されたファン回転数のうち、大きい方のファン回転数に基づいて、冷却ファンを制御する手段、
を備えていることを特徴とするプラスマディスプレイ装置。
【発明の詳細な説明】
【０００１】
【発明の属する技術分野】
この発明は、プラズマディスプレイ装置に関する。
【０００２】
【従来の技術】
プラズマディスプレイ装置はパネルの発熱量が大きいため、プラズマディスプレイ装置には冷却ファンが設けられている。プラズマディスプレイ装置は、基本的には横置きで使用されるように設計されており、プラズマディスプレイ装置が横置きで使用される場合には、筐体内部温度を検出し、検出された筐体内部温度に応じて冷却ファンの回転数を制御するようにしている。
【０００３】
ところで、プラズマディスプレイ装置を、広告表示等のために縦置きで使用する場合がある。プラズマディスプレイ装置が、縦置きで使用された場合には、横置きで使用される場合に比べて、設計上、冷却効率が悪いため、従来は冷却ファンを一定速度で常時回転させるようにしている。
【０００４】
しかしながら、冷却ファンは騒音の原因となるため、筐体内部温度を保証温度以下に保ちながら、冷却ファンをできる限りオフ状態または低速で回転させることが好ましい。
【０００５】
【発明が解決しようとする課題】
この発明は、プラズマディスプレイ装置が横置きで使用される場合でも、縦置きで使用される場合でも、冷却ファンの騒音を低く抑えることができるプラズマディスプレイ装置を提供することを目的とする。
【０００６】
また、この発明は、プラズマディスプレイ装置が横置きで使用されている状態から縦置きで使用されるようになった直後においても、またプラズマディスプレイ装置が縦置きで使用されている状態から横置きで使用されるようになった直後においても、筐体内部温度を保証温度以下に保つことができるようになるプラズマディスプレイ装置を提供することを目的とする。
【０００７】
【課題を解決するための手段】
この発明は、冷却ファンを備えたプラスマディスプレイ装置において、プラズマディスプレイ装置が横置きで使用されている状態で温度が高くなり、プラズマディスプレイ装置が縦置きで使用されている状態で温度が低くなる位置に配置されている第１温度センサ、プラズマディスプレイ装置が縦置きで使用されている状態で温度が高くなり、プラズマディスプレイ装置が横置きで使用されている状態で温度が低くなる位置に配置されている第２温度センサ、プラズマディスプレイ装置が横置きにされた状態において実験により求められた、筐体内部温度を保証温度以下に保持しうる第１温度センサの検出温度と冷却ファンの回転数との関係と、第１温度センサの検出温度とに基づいて、ファン回転数を算出する第１ファン回転数算出手段、プラズマディスプレイ装置が縦置きにされた状態において実験により求められた、筐体内部温度を保証温度以下に保持しうる第２温度センサの検出温度と冷却ファンの回転数との関係と、第２温度センサの検出温度とに基づいて、ファン回転数を算出する第２ファン回転数算出手段、ならびに第１ファン回転数算出手段によって算出されたファン回転数と、第２ファン回転数算出手段によって算出されたファン回転数のうち、大きい方のファン回転数に基づいて、冷却ファンを制御する手段を備えていることを特徴とする。
【０００８】
【発明の実施の形態】
以下、図面を参照して、この発明の実施の形態について説明する。
【０００９】
図１および図２は、プラズマディスプレイ装置の筐体内に設けられた温度センサの配置例を示している。
【００１０】
図１は、プラズマディスプレイ装置が横置きで使用されている状態を示している。図２は、プラズマディスプレイ装置が縦置きで使用されている状態を示している。
【００１１】
図１および図２において、１は第１温度センサ、２は第２温度センサ、７は冷却ファンである。
【００１２】
第１温度センサ１は、プラズマディスプレイ装置が横置きで使用されている状態で温度が高くなり、プラズマディスプレイ装置が縦置きで使用されている状態で温度が低くなる位置に配置されている。この例では、第１温度センサ１は、プラズマディスプレイ装置が横置きで使用されている状態において左上に位置し、プラズマディスプレイ装置が縦置きで使用されている状態において左下に位置する位置に配置されている。
【００１３】
第２温度センサ２は、プラズマディスプレイ装置が縦置きで使用されている状態で温度が高くなり、プラズマディスプレイ装置が横置きで使用されている状態で温度が低くなる位置に配置されている。この例では、第２温度センサ２は、プラズマディスプレイ装置が横置きで使用されている状態において右下に位置し、プラズマディスプレイ装置が縦置きで使用されている状態において右上に位置する位置に配置されている。
【００１４】
図３は、プラズマディスプレイ装置の冷却ファン制御回路の構成を示している。
【００１５】
第１温度センサ１の検出信号ＴＡおよび第２温度センサ２の検出信号ＴＢは、ＣＰＵ１０に入力する。ＣＰＵ１０は、第１温度センサ１の検出信号ＴＡに基づいて冷却ファン７の回転数ＦＡを算出するための第１ファン回転数算出手段３、第２温度センサ２の検出信号ＴＢに基づいて冷却ファン７の回転数ＦＢを算出するための第２ファン回転数算出手段４ならびに両ファン回転数算出手段３、４によって算出された回転数のうち、大きい方の回転数に応じた制御信号ＦＮを出力する選択手段５を備えている。
【００１６】
選択手段５から出力された制御信号ＦＮは、ファンドライバ６に送られる。ファンドライバ６は、選択手段５から送られてきた制御信号ＦＮに応じた回転数で冷却ファン７を回転駆動させる。
【００１７】
第１ファン回転数算出手段３は、プラズマディスプレイ装置が横置きされた状態において実験により求められた、筐体内部温度を保証温度以下に保持しうる第１温度センサ１の検出温度と冷却ファン７の回転数ＦＡとの関係と、第１温度センサ１の検出温度ＴＡとに基づいて冷却ファン７の回転数ＦＡを算出する。図４は、第１温度センサ１の検出温度と冷却ファン７の回転数ＦＡとの関係の一例を示している。
【００１８】
第２ファン回転数算出手段４は、プラズマディスプレイ装置が縦置きされた状態において実験により求められた、筐体内部温度を保証温度以下に保持しうる第２温度センサ２の検出温度と冷却ファン７の回転数ＦＢとの関係と、第２温度センサ２の検出温度ＴＢとに基づいて冷却ファン７の回転数ＦＢを算出する。図５は、第２温度センサ２の検出温度と冷却ファン７の回転数ＦＢとの関係の一例を示している。
【００１９】
プラズマディスプレイ装置が縦置きされた状態では、プラズマディスプレイ装置が横置きにされた状態より、冷却効率が悪いため、同じ検出温度に対する冷却ファンの回転数は、縦置きの場合の方が横置きの場合に比べて大きくなっている。
【００２０】
プラズマディスプレイ装置が図１に示すように横置きで使用されている場合には、通常は第１温度センサ１付近の温度は、第２温度センサ２付近の温度より、所定温度以上（例えば、２０度以上）高い温度となる。このため、プラズマディスプレイ装置が横置きで使用されている場合には、第１温度センサ１の検出温度ＴＡに基づいて算出されたファン回転数、すなわち、第１ファン回転数算出手段３によって算出されたファン回転数ＦＡに応じた回転数で、冷却ファン７が回転せしめられることになる。
【００２１】
一方、プラズマディスプレイ装置が図２に示すように縦置きで使用されている場合には、通常は第２温度センサ２付近の温度は、第１温度センサ１付近の温度より、所定温度以上（例えば、２５度以上）高い温度となる。このため、プラズマディスプレイ装置が縦置きで使用されている場合には、第２温度センサ２の検出温度ＴＢに基づいて算出されたファン回転数、すなわち、第２ファン回転数算出手段４によって算出されたファン回転数ＦＢに応じた回転数で、冷却ファン７が回転せしめられることになる。
【００２２】
つまり、プラズマディスプレイ装置が横置きで使用されている場合には、横置きで使用されている場合に適した第１温度センサ１の検出温度と冷却ファン７の回転数ＦＡとの関係に基づいて、冷却ファン７が回転制御され、プラズマディスプレイ装置が縦置きで使用されている場合には、縦置きで使用されている場合に適した第２温度センサ２の検出温度と冷却ファン７の回転数ＦＡとの関係に基づいて、冷却ファン７が回転制御される。このため、プラズマディスプレイ装置が横置きで使用される場合でも、縦置きで使用される場合でも、冷却ファンの騒音を低く抑えることができるようになる。
【００２３】
ところで、プラズマディスプレイ装置が横置きで使用されている状態から、縦置きで使用されるようになった直後においては、第１温度センサ１付近の温度は横置きで使用されている状態での高い温度を維持しているが、第２温度センサ２付近の温度は横置きで使用されている状態での低い温度を維持しているため、第２温度センサ２の検出温度に基づいて冷却ファン７が回転制御されると、冷却が不十分となり筐体内部温度が保証温度より高くなる可能性がある。
【００２４】
この実施の形態では、プラズマディスプレイ装置が横置きで使用されている状態から、縦置きで使用されるようになった直後においては、周辺温度が高い温度を維持している第１温度センサ１の検出温度に基づいて冷却ファン７が制御され、縦置きで使用されるようになってから第２温度センサ２付近の温度が上昇してくると、第２温度センサ２の検出温度に基づいて冷却ファン７が回転制御されるため、筐体内部が保証温度より高くなるといったことが防止できる。
【００２５】
同様に、プラズマディスプレイ装置が縦置きで使用されている状態から、横置きで使用されるようになった直後においては、第２温度センサ２付近の温度は縦置きで使用されている状態での高い温度を維持しているが、第１温度センサ１付近の温度は縦置きで使用されている状態での低い温度を維持しているため、第１温度センサ１の検出温度に基づいて冷却ファン７が回転制御されると、冷却が不十分となり筐体内部温度が保証温度より高くなる可能性がある。
【００２６】
この実施の形態では、プラズマディスプレイ装置が縦置きで使用されている状態から、横置きで使用されるようになった直後においては、周辺温度が高い温度を維持している第２温度センサ２の検出温度に基づいて冷却ファン７が制御され、横置きで使用されるようになってから第１温度センサ１付近の温度が上昇してくると、第１温度センサ１の検出温度に基づいて冷却ファン７が回転制御されるため、筐体内部が保証温度より高くなるといったことが防止できる。
【００２７】
【発明の効果】
この発明によれば、プラズマディスプレイ装置が横置きで使用される場合でも、縦置きで使用される場合でも、冷却ファンの騒音を低く抑えることができるようになる。
【００２８】
また、この発明によれば、プラズマディスプレイ装置が横置きで使用されている状態から縦置きで使用されるようになった直後においても、またプラズマディスプレイ装置が縦置きで使用されている状態から横置きで使用されるようになった直後においても、筐体内部温度を保証温度以下に保つことができるようになる。
【図面の簡単な説明】
【図１】プラズマディスプレイ装置が横置きに使用されている状態を示すとともに、筐体内に設けられた温度センサの配置例を示す模式図である。
【図２】プラズマディスプレイ装置が縦置きに使用されている状態を示すとともに、筐体内に設けられた温度センサの配置例を示す模式図である。
【図３】プラズマディスプレイ装置の冷却ファン制御回路の構成を示すブロック図である。
【図４】第１温度センサ１の検出温度ＴＡと冷却ファン７の回転数ＦＡとの関係の一例を示すグラフである。
【図５】第２温度センサ２の検出温度ＴＢと冷却ファン７の回転数ＦＢとの関係の一例を示すグラフである。
【符号の説明】
１  第１温度センサ
２  第２温度センサ
３  第１ファン回転数算出手段
４  第２ファン回転数算出手段
５  選択手段
６  ファンドライバ
７  冷却ファン
１０  ＣＰＵ
【図１】
0003625811.tif 000002
【図２】
0003625811.tif 000003
【図３】
0003625811.tif 000004
【図４】
0003625811.tif 000005
【図５】
0003625811.tif 000006